(57)【要約】【課題】ディスク再生装置にディスクが挿入されていない状態において、外部等からの振動によってディスク位置決め機構に起因する音が生じないようにする。【解決手段】複数種類の径のディスクを再生可能であり、ローディングされるディスクの外径部に当接し、複数種類の径のディスクを筐体内に位置決め可能なように可動式に構成されたディスク位置決め機構１００を備えるディスク再生装置において、前記筺体内に前記ディスクが挿入されていない状態で、前記ディスク位置決め機構１００をロックするロック機構８０を備えた。【選択図】図７
2013131266.tif 000002
【特許請求の範囲】
【請求項１】
複数種類の径のディスクを再生可能であり、ローディングされるディスクの外径部に当接し、複数種類の径のディスクを筐体内に位置決め可能なように可動式に構成されたディスク位置決め機構を備えるディスク再生装置において、
前記筺体内に前記ディスクが挿入されていない状態で、前記ディスク位置決め機構をロックするロック機構を備えたことを特徴とするディスク再生装置。
【請求項２】
前記ロック機構は、ローディングローラが前記ディスクによって押されることで揺動する揺動アームを有し、前記揺動アームは前記ディスク位置決め機構に押し当てられる押し当て部を備えることを特徴とする請求項１記載のディスク再生装置。
【請求項３】
前記揺動アームは、前記ローディングローラのローディング位置とローディング解除位置との間を揺動し、前記ローディングローラを前記ローディング位置に位置決めするロックアームであり、前記ロックアームの前記押し当て部は、通常時に前記ディスク位置決め機構に押し当てられて、当該ディスク位置決め機構をロックすると共に、前記ローディングローラが前記ディスクによって押されて前記ディスクの厚み方向に動いた際に、前記ディスク位置決め機構から離れて前記ディスク位置決め機構をロック解除することを特徴とする請求項２記載のディスク再生装置。
【請求項４】
前記ディスク位置決め機構は、前記筐体の側面部に沿って前後に延出するセンサアームと、前記センサアームに連結されると共に、前記ディスクの外径部に当接し、当該ディスクを筐体内に位置決めするディスクストッパとを備え、前記押し当て部は、通常時に前記センサアームに押し当てられて、前記ディスク位置決め機構をロックすることを特徴とする請求項２又は３記載のディスク再生装置。
【請求項５】
前記ディスク位置決め機構は、前記ローディングローラのローディング力に抗して前記センサアームを初期位置に付勢するばねを有し、当該ばねの前記センサアームへの支持点の近くに前記押し当て部の被押し当て部を配置したことを特徴とする請求項４記載のディスク再生装置。
【請求項６】
前記押し当て部は、前記ディスク位置決め機構に対して上下方向に押し当てられることを特徴とする請求項１から５のいずれかに記載のディスク再生装置。
【請求項７】
前記押し当て部は前記揺動アームから前記ディスク位置決め機構側に延びる突出部であり、前記押し当て部の長さを、前記揺動アームが前記ディスクの厚み分だけ揺動した際の揺動量で前記押し当て部によって前記ディスク位置決め機構を押し当て可能な長さにしたことを特徴とする請求項２から５のいずれかに記載のディスク再生装置。
【請求項８】
前記ディスク位置決め機構は、前記ディスクの再生時には前記筺体に対しフローティング状態とされ、前記筺体内にディスクが挿入されていない状態では前記フローティング状態が解除されることを特徴とする請求項１から７のいずれかに記載のディスク再生装置。
【発明の詳細な説明】
【技術分野】
【０００１】
本発明は、複数種類の径のディスクを筐体内に位置決め可能なように可動式に構成されたディスク位置決め機構を備えるディスク再生装置に関する。
【背景技術】
【０００２】
従来、ディスク再生装置では、ディスクの挿入時の位置決めを行うための部材として、ディスクストッパ、ストッパリンク及びセンサアームを備えたものが知られている（例えば、特許文献１参照）。特許文献１のディスクストッパ、ストッパリンク及びセンサアームは、直径の異なる複数種のディスクを位置決め可能なように可動式となっている。
【先行技術文献】
【特許文献】
【０００３】
【特許文献１】特開２００２−１５０６５０号公報
【発明の概要】
【発明が解決しようとする課題】
【０００４】
ところで、上記従来のディスク再生装置のように、可動式のディスク位置決め機構を有する構成では、ディスク再生装置にディスクが挿入されていない状態においてディスク位置決め機構が可動であるため、外部等からの振動によって、ディスク位置決め機構が筺体や内部の部品に接触することで、音が発生することがある。また、ディスク位置決め機構は、可動し易いようにクリアランスが設定されているため、振動し易くなっている。
本発明は、上述した事情に鑑みてなされたものであり、ディスク再生装置にディスクが挿入されていない状態において、外部等からの振動によってディスク位置決め機構に起因する音が生じないようにすることを目的とする。
【課題を解決するための手段】
【０００５】
上記目的を達成するために、本発明は、複数種類の径のディスクを再生可能であり、ローディングされるディスクの外径部に当接し、複数種類の径のディスクを筐体内に位置決め可能なように可動式に構成されたディスク位置決め機構を備えるディスク再生装置において、前記筺体内に前記ディスクが挿入されていない状態で、前記ディスク位置決め機構をロックするロック機構を備えたことを特徴とする。
この構成によれば、筺体内にディスクが挿入されていない状態で、可動式のディスク位置決め機構をロックするロック機構を備えたため、ディスクが挿入されていない状態においてディスク位置決め機構をロック機構によってロックすることができ、外部等からの振動によってディスク位置決め機構に起因する音が生じることを防止できる。
【０００６】
上記構成において、前記ロック機構は、ローディングローラが前記ディスクによって押されることで揺動する揺動アームを有し、前記揺動アームは前記ディスク位置決め機構に押し当てられる押し当て部を備える構成であっても良い。
この場合、ロック機構は、ローディングローラがディスクによって押されることで揺動する揺動アームを有し、揺動アームはディスク位置決め機構に押し当てられる押し当て部を備えるため、ディスクに押されるローディングローラの動きに連動させてロック機構を動作させることができ、簡単な構成でディスク位置決め機構をロックできる。
【０００７】
また、前記揺動アームは、前記ローディングローラのローディング位置とローディング解除位置との間を揺動し、前記ローディングローラを前記ローディング位置に位置決めするロックアームであり、前記ロックアームの前記押し当て部は、通常時に前記ディスク位置決め機構に押し当てられて、当該ディスク位置決め機構をロックすると共に、前記ローディングローラが前記ディスクによって押されて前記ディスクの厚み方向に動いた際に、前記ディスク位置決め機構から離れて前記ディスク位置決め機構をロック解除する構成としても良い。
この場合、揺動アームは、ローディングローラをローディング位置に位置決めするロックアームであり、ロックアームの押し当て部は、通常時にディスク位置決め機構に押し当てられて、ディスク位置決め機構をロックすると共に、ローディングローラがディスクによって押されてディスクの厚み方向に動いた際に、ディスク位置決め機構から離れてディスク位置決め機構をロック解除するため、通常時にはロック機構によってディスク位置決め機構の音の発生を防止でき、ローディングローラがディスクの厚み方向に動いた際には直ちにロック機構が解除され、ディスク位置決め機構が動作可能となり、ディスクを正しく位置決めできる。
【０００８】
また、前記ディスク位置決め機構は、前記筐体の側面部に沿って前後に延出するセンサアームと、前記センサアームに連結されると共に、前記ディスクの外径部に当接し、当該ディスクを筐体内に位置決めするディスクストッパとを備え、前記押し当て部は、通常時に前記センサアームに押し当てられて、前記ディスク位置決め機構をロックする構成としても良い。
この場合、ディスク位置決め機構は、筐体の側面部に沿って前後に延出するセンサアームと、センサアームに連結されると共に、ディスクの外径部に当接し、当該ディスクを筐体内に位置決めするディスクストッパとを備え、押し当て部は、通常時にセンサアームに押し当てられて、ディスク位置決め機構をロックするため、センサアームが筐体の側面部や他の部品等に当たることを防止でき、ディスク位置決め機構に起因する音の発生を効果的に防止できる。
【０００９】
さらに、前記ディスク位置決め機構は、前記ローディングローラのローディング力に抗して前記センサアームを初期位置に付勢するばねを有し、当該ばねの前記センサアームへの支持点の近くに前記押し当て部の被押し当て部を配置した構成としても良い。
この場合、ディスク位置決め機構は、ローディングローラのローディング力に抗してセンサアームを初期位置に付勢するばねを有し、ばねのセンサアームへの支持点の近くに押し当て部の被押し当て部を配置したため、支持点の近くを押し当て部で押さえることができ、センサアームの振動を抑えるために強くしていたばねの付勢力を弱めることができる。このため、ばねに抗してセンサアームを動かすための負荷を小さくすることができる。
【００１０】
また、前記押し当て部は、前記ディスク位置決め機構に対して上下方向に押し当てられる構成としても良い。
この場合、押し当て部は、ディスク位置決め機構に対して上下方向に押し当てられるため、上下の振動を効果的に抑えることができる。
また、前記押し当て部は前記揺動アームから前記ディスク位置決め機構側に延びる突出部であり、前記押し当て部の長さを、前記揺動アームが前記ディスクの厚み分だけ揺動した際の揺動量で前記押し当て部によって前記ディスク位置決め機構を押し当て可能な長さにしても良い。
この場合、押し当て部は揺動アームからディスク位置決め機構側に延びる突出部であり、押し当て部の長さを、揺動アームがディスクの厚み分だけ揺動した際の揺動量で押し当て部によってディスク位置決め機構を押し当て可能な長さにしたため、簡単な構成でディスク位置決め機構の振動に起因する音の発生を防止できる。
【００１１】
また、前記ディスク位置決め機構は、前記ディスクの再生時には前記筺体に対しフローティング状態とされ、前記筺体内にディスクが挿入されていない状態では前記フローティング状態が解除される構成としても良い。
この場合、筺体内にディスクが挿入されておらず、ディスク位置決め機構が筺体に対しフローティング状態とされていない状態において、押し当て部がディスク位置決め機構に押し当てられるため、ディスク位置決め機構が振動し易い状態であっても、ディスク位置決め機構に起因する音が生じることを防止できる。
【発明の効果】
【００１２】
本発明によれば、ディスクが挿入されていない状態においてディスク位置決め機構をロック機構によってロックすることができ、外部等からの振動によってディスク位置決め機構に起因する音が生じることを防止できる。
【図面の簡単な説明】
【００１３】
【図１】本実施の形態に係るディスクプレーヤの平面図である。
【図２】クランパアームの平面図である。
【図３】８ｃｍのディスクをディスク位置決め機構で位置決めした状態を示す平面図である。
【図４】１２ｃｍのディスクをディスク位置決め機構で位置決めした状態を示す平面図である。
【図５】センサアームを示す図であり、（ａ）は平面図、（ｂ）は側面図である。
【図６】ローディングメカニズムを示す側面図である。
【図７】ローディングメカニズムを示す側面図であり、（ａ）は、ディスクが挿入されていない状態を示し、（ｂ）はディスクが挿入された状態を示している。
【図８】一方のロックアームを示す側面図である。
【発明を実施するための形態】
【００１４】
以下、本発明の一実施の形態を、図面に基づき説明する。
図１は、本実施の形態に係るディスクプレーヤの平面図である。このディスクプレーヤ１（ディスク再生装置）は、車両に搭載される車載機器であり、上下の高さが抑えられて薄型に構成され、ＣＤ、ＤＶＤ等の例えば直径８ｃｍや、直径１２ｃｍ等の大きさの記録媒体ディスクを内部に引き込み、このディスクに記録された情報を再生するものである。ディスクプレーヤ１の本体２は板金製のシャーシ３（筺体）を備えている。
【００１５】
シャーシ３はメインシャーシ５と、このメインシャーシ５の上方を覆うアッパーシャーシ（不図示）とを備え、その内側には、ディスクをローディングするためのローディングメカニズム、ローディングされたディスクをターンテーブル上にクランプするためのクランパメカニズム、クランプされたディスクをドライブするためのドライブメカニズム等が設けられている。
シャーシ３には、その前面を覆う板状の前面パネル６が取り付けられており、この前面パネル６には、横長のスリット状に形成された挿入口（不図示）が形成され、この挿入口から記録媒体としてのディスクが挿入または排出される。
上記ローディングメカニズムは、上記挿入口の近傍にローディングローラ６１を有し、挿入口に挿入されたディスクは、ローディングローラ６１によって内部に搬送される。また、ディスクは、ローディングローラ６１によって排出される。
【００１６】
メインシャーシ５は、平面視略矩形の枠状に形成され、このメインシャーシ５には、ゴム、スプリング及びオイルダンパー等の防振部材（不図示）が取り付けられ、この防振部材の上に、上記クランパメカニズムやドライブメカニズムが一体化されたドライブユニット９が載置されて、ドライブユニット９がフローティング支持されている。
ドライブユニット９には、不図示の切り替え機構が連結されており、ドライブユニット９は、上記切り替え機構が切り換えられることで、ディスクの再生時にはフローティング状態になり、シャーシ３内にディスクが挿入されていない状態ではフローティング状態は解除される。
ドライブユニット９には、上記クランパメカニズムの板状のクランパアーム１０がシャーシ３の後部を中心にして上下方向に揺動可能に設けられている。
【００１７】
図２は、クランパアーム１０の平面図である。
図１及び図２に示すように、クランパアーム１０の中央部には、前後方向の直線状のスライド溝１０ａが形成されている。また、クランパアーム１０におけるスライド溝１０ａの右側には、略円弧形状のガイド穴１０ｂが設けられている。このガイド穴１０ｂの前端には、側方へ切り欠かれた規制部Ｓ１が形成されている。クランパアーム１０の後部右隅近傍には、左右方向に長いストッパリンク用軸穴１０ｃが形成されている。クランパアーム１０の前部の右隅近傍には、前後方向に長いセンサアーム用軸穴１０ｄが形成されている。さらに、クランパアーム１０の後端には、後述するディスクストッパ２０の板ばね部２０ｃに当接して停止させるための停止部１０ｅが設けられている。
クランパアーム１０には、複数の種類（本実施の形態では直径８ｃｍ及び直径１２ｃｍ）の径のディスクに対応して、ディスクを上記ターンテーブル上に位置決め可能なディスク位置決め機構１００が設けられている。
【００１８】
図３は、８ｃｍのディスクＤ１をディスク位置決め機構１００で位置決めした状態を示す平面図である。図４は、１２ｃｍのディスクＤ２をディスク位置決め機構１００で位置決めした状態を示す平面図である。
図１〜図４に示すように、ディスク位置決め機構１００は、ディスクに当接するディスクストッパ２０、ディスクストッパ２０に連結されるストッパリンク３０、及び、ストッパリンク３０に連結されるセンサアーム５０と、ストッパリンク３０とセンサアーム５０との間に掛け渡され、ディスク位置決め機構１００を初期位置に付勢する引張コイルばね６０とを有している。なお、ドライブユニット９には、センサアーム５０の近傍に設けられたラックＲ２（図３）の前後のスライド移動を契機として、クランパアーム１０を上下に揺動させるディスクチャッキング機構（不図示）が設けられている。また、このディスクチャッキング機構には、ディスクチャッキング時にセンサアーム５０の位置をロックするシフトレバー（不図示）が設けられている。
【００１９】
ディスクストッパ２０は左右方向に長いプレートであり、その中央部にはスライダ２０ａが取り付けられている。このスライダ２０ａは、クランパアーム１０のスライド溝１０ａに前後にスライド移動可能に設けられている。また、ディスクストッパ２０には、挿入されたディスクの縁に当接してディスクの位置決めを行なう当接部２０ｂが左右の端部に形成されている。さらに、ディスクストッパ２０の後端には、クランパアーム１０における停止部１０ｅに当接する板ばね部２０ｃが設けられている。なお、ディスクストッパ２０は、ディスクが左右の当接部２０ｂに当接したときにのみ前後に移動し、いずれか一方の当接部２０ｂに当接したときには、スライダ２０ａが傾斜してディスクストッパ２０の移動をロックするように構成されている。
【００２０】
ストッパリンク３０は、軸３０ａを有し、軸３０ａを介してクランパアーム１０におけるストッパリンク用軸穴１０ｃに揺動可能に且つ左右にスライド移動可能に設けられている。ストッパリンク３０の一端は、スライダ２０ａに対して所定の隙間を持って揺動可能に取り付けられており、ストッパリンク３０は、ディスクストッパ２０の移動とともに揺動するように構成されている。また、ストッパリンク３０には、クランパアーム１０のガイド穴１０ｂに挿通されるダボ３０ｂが設けられている。さらに、ストッパリンク３０の他端近傍にはカム穴３０ｃが設けられている。このカム穴３０ｃの前端には、略Ｌ字状に切り欠かれた規制部Ｓ２が形成されている。
【００２１】
図５は、センサアーム５０を示す図であり、（ａ）は平面図、（ｂ）は側面図である。
センサアーム５０は、メインシャーシ５の側面部５ａに沿って前後に延びる板状の部材であり、前部に軸５０ａを有している。センサアーム５０は、軸５０ａを介して、クランパアーム１０におけるセンサアーム用軸穴１０ｄに揺動可能に且つ前後方向にスライド移動可能に設けられている。センサアーム５０の後部には、カム穴３０ｃに挿通されるカムピン５０ｂが設けられている。このカム穴３０ｃとカムピン５０ｂによってカム手段が構成されている。
【００２２】
また、センサアーム５０の後端には、センサアーム５０の前方移動に従ってラックＲ２を付勢する付勢部５０ｃが設けられている。センサアーム５０の前端には、１２ｃｍディスクの縁に当接する当接部５０ｄが設けられている。当接部５０ｄは、ローディングローラ６１よりも後方に配置されている。
センサアーム５０の側部には、引張コイルばね６０の一端が支持される支持点５０ｅが設けられ、引張コイルばね６０の他端はストッパリンク３０に支持されている。引張コイルばね６０は、ストッパリンク３０とセンサアーム５０とが引っ張り合うように設けられており、ディスク位置決め機構１００を初期位置に付勢するだけでなく、ストッパリンク３０及びセンサアーム５０の振動を抑制する機能も有している。
さらに、センサアーム５０の前端には、下方に延びた後略水平にディスクプレーヤ１の外側面側へ延びる被押し当て部５０ｆが設けられている。被押し当て部５０ｆは、クランパアーム１０の前縁よりも前方に突出するとともに、クランパアーム１０の下方側へ延びている。
【００２３】
次に、ディスク位置決め機構１００の動作を、８ｃｍディスクの挿入時及び排出時と１２ｃｍディスクの挿入時及び排出時とに分けて説明する。
【００２４】
図３に示すように、ディスク挿入口から８ｃｍディスクＤ１が挿入された場合には、ディスクＤ１は、ローディングローラ６１によってドライブユニット９内に引き込まれる。すると、後方へ移動するディスクＤ１の後縁がディスクストッパ２０の左右の当接部２０ｂに当接することでストッパリンク３０は図中時計方向に揺動し、ディスクストッパ２０は、ストッパリンク３０のダボ３０ｂが、ガイド穴１０ｂの規制部Ｓ１の後端に当接するまで、後方に移動する。これにより、ディスクＤ１は、上記ターンテーブルの位置に位置決めされる。同時に、ストッパリンク３０におけるカム穴３０ｃの規制部Ｓ２によって、センサアーム５０のカムピン５０ｂが前方に付勢されるので、センサアーム５０が前方にスライド移動する。すると、センサアーム５０における付勢部５０ｃがラックＲ２を前方に押圧するので、ラックＲ２が前方に移動してディスクチャッキング動作が開始される。
【００２５】
このディスクチャッキング時には、ディスクチャッキング機構のシフトレバーがセンサアーム５０の位置をロックするので、クランパアーム１０のディスク圧着方向への揺動とともに、ディスクストッパ２０とディスクＤ１の後端との間にクリアランスが生じ、再生時に回転するディスクＤ１の縁にディスクストッパ２０が接触することがなく、ディスクＤ１の回転動作が安定する。さらに、ラックＲ２はディスクチャッキング機構のギア等と噛み合うことにより、センサアーム５０の付勢部５０ｃに付勢された位置よりもさらに前方に移動するので、ディスクＤ１の再生中は、付勢部５０ｃとラックＲ２とは当たっていない。
【００２６】
なお、ディスクＤ１の挿入位置が左右にずれていた場合には、いずれか一方の当接部２０ｂに当接しても、スライダ２０ａが傾斜してディスクストッパ２０の移動がロックされるので、ディスクストッパ２０は移動を開始せず、ディスクＤ１が左右の当接部２０ｂに当接する位置まで自動的に案内される。特に、ディスクＤ１の挿入位置が右にずれていた場合には、センサアーム５０における当接部５０ｄに当接する可能性があるが、ディスクＤ１はその径が小さいため、センサアーム５０を揺動させる程の力を加えることはない。
【００２７】
ローディングローラ６１によって８ｃｍディスクＤ１が排出される時には、ディスクチャッキング機構によってディスクＤ１が解放され、シフトレバーがセンサアーム５０のロックを解除するので、ディスクストッパ２０の当接部２０ｂが、ディスクＤ１の後縁に当接する。すると、ディスクＤ１の前方移動とともに、スライダ２０ａがスライド溝１０ａの前端に当接して初期位置に復帰するまで、引張コイルばね６０の付勢力によってストッパリンク３０が図中反時計方向に揺動する。同時に、ストッパリンク３０におけるカム穴３０ｃの規制部Ｓ２によって、センサアーム５０のカムピン５０ｂが後方に付勢されるので、センサアーム５０が後方にスライド移動する。
【００２８】
図４に示すように、ディスク挿入口から１２ｃｍディスクＤ２が挿入された場合には、ディスクＤ２は、ローディングローラ６１によってドライブユニット９内に引き込まれる。このとき、ディスクＤ２はセンサアーム５０における当接部５０ｄに当接して、センサアーム５０を反時計方向に揺動させる。すると、センサアーム５０のカムピン５０ｂが、ストッパリンク３０のカム穴３０ｃの規制部Ｓ２から外れ、カム穴３０ｃを左方へ付勢する。よって、ストッパリンク３０が左方へ移動して、ダボ３０ｂがガイド穴１０ｂの規制部Ｓ１と当接するコースから外れる。
【００２９】
これにより、ストッパリンク３０は、引張コイルばね６０の付勢力に抗して規制部Ｓ１よりも後方へ揺動できるようになり、後方へ移動するディスクＤ２の後縁がディスクストッパ２０を押すことによって、ディスクストッパ２０は、板ばね部２０ｃがクランパアーム１０の停止部１０ｅに当たって止まるまで、引張コイルばね６０の付勢力に抗して後方へ移動する。これにより、ディスクＤ２は、上記ターンテーブルの位置に位置決めされる。同時に、ストッパリンク３０におけるカム穴３０ｃの後端によって、センサアーム５０のカムピン５０ｂが前方に付勢されるので、センサアーム５０が前方にスライド移動する。すると、センサアーム５０における付勢部５０ｃが、ラックＲ２を前方に押圧するので、ラックＲ２が前方に移動してチャッキング動作が開始する。
【００３０】
このディスクチャッキング時には、ディスクチャッキング機構におけるシフトレバーがセンサアーム５０の位置をロックしているので、クランパアーム１０のディスク圧着方向への揺動とともに、ディスクストッパ２０とディスクＤ２の後端との間にクリアランスが生じ、再生時に回転するディスクＤ２の縁にディスクストッパ２０が接触することがなく、ディスクＤ２の回転動作が安定する。さらに、ラックＲ２はディスクチャッキング機構のギア等と噛み合うことにより、センサアーム５０の付勢部５０ｃに付勢された位置よりもさらに前方に移動するので、ディスクＤ２の再生中は、付勢部５０ｃとラックＲ２とは当たっていない。
【００３１】
ローディングローラ６１によって１２ｃｍディスクＤ２が排出される時には、ディスクチャッキング機構によってディスクＤ２が解放され、シフトレバーがセンサアーム５０のロックを解除するので、ディスクストッパ２０の当接部２０ｂが、ディスクＤ２の後縁に当接する。すると、ディスクＤ２の前方移動とともに、スライダ２０ａがスライド溝１０ａの前端に当接して初期位置に復帰するまで、引張コイルばね６０の付勢力によってストッパリンク３０が図中反時計方向に揺動する。同時に、ストッパリンク３０におけるカム穴３０ｃの規制部Ｓ２に、センサアーム５０のカムピン５０ｂが入って後方に付勢されるので、センサアーム５０が後方にスライド移動する。
【００３２】
以上説明したように、ディスク位置決め機構１００によれば、ディスクストッパ２０、ストッパリンク３０及びセンサアーム５０によって、８ｃｍディスクＤ１及び１２ｃｍディスクＤ２をそれぞれ適切な位置に位置決めすることができ、しかも、これらの部材を初期状態へ復帰させるために、１つの引張コイルばね６０のみを備えれば済む。このため、部品点数が少なくなり、材料費及び加工費を抑え、製造コスト低減が可能となる。また、互いに接触して可動する部品の点数を削減できるので、種々の故障や低級音の発生等の可能性が減少し、信頼性を向上させることができる。
【００３３】
図６は、ローディングメカニズムを示す側面図である。図７は、ローディングメカニズムを示す側面図であり、（ａ）は、ディスクが挿入されていない状態を示し、（ｂ）はディスクが挿入された状態を示している。ここで、図７（ｂ）では、１２ｃｍディスクＤ２が挿入された状態が示されている。
図１、図６及び図７に示すように、ローディングメカニズムは、挿入口の長手方向の略一杯に延びるローディングローラ６１と、ローディングローラ６１を支持するローラーガイド６２と、ローラーガイド６２に連結されるロックアーム６３（揺動アーム）と、ロックアーム６３を付勢するトーションスプリング６４（図６）と、ローディングローラ６１の上方に位置し、ローディングローラ６１とでディスクを挟むアッパーガイド（不図示）とを備えている。
【００３４】
メインシャーシ５内の左右の側壁の前部の近傍には、ローラーガイド６２が左右一対で設けられ、ローディングローラ６１は、左右一対のローラーガイド６２によって両端を支持されている。また、左右のローラーガイド６２には、ロックアーム６３がそれぞれ連結されている。一方のロックアーム６３は、センサアーム５０の前方に連続するように配置されている。
ローディングローラ６１は、モーターによって駆動される不図示の駆動機構によって回転駆動され、ローディング力を得る。この駆動機構は、センサ（不図示）によってディスクの挿入が検知された時、及び、ユーザによるボタン操作等によってディスクの排出指示が出された時に作動する。
【００３５】
ローラーガイド６２は、ローディングローラ６１の軸方向に延びる軸６２ａを前部に有している。ローラーガイド６２は、軸６２ａを介してメインシャーシ５側に支持され、軸６２ａを中心に揺動可能である。ローラーガイド６２の後端には、ローディングローラ６１を軸支するローラー支持部６２ｂが設けられている。ローラーガイド６２において、ローラー支持部６２ｂと軸６２ａとの間には、ロックアーム６３に嵌合するボス部６２ｃが形成されている。
ローディングローラ６１は、ローラーガイド６２が軸６２ａを中心に揺動することで、ディスクに下方から当接して上記アッパーガイドとの間でディスクを搬送可能なローディング位置（図７（ａ）参照）と、ディスクの下方に退避してディスクを解放するローディング解除位置との間を揺動する。上記ローディング解除位置は、図７（ｂ）よりもさらに下方にローディングローラ６１が移動した位置である。
【００３６】
ローディングローラ６１が上記ローディング位置にある状態では、ドライブユニット９のクランパアーム１０及びディスク位置決め機構１００は、上記切り替え機構の切り替えによってフローティング支持状態が解除され、ディスクを正しくチャッキングできるように挿入口に対応した位置に固定される。このため、ローディングローラ６１が上記ローディング位置にある状態では、ドライブユニット９には振動が影響し易くなっている。一方、ディスクが再生中で、ローディングローラ６１が上記ローディング解除位置にある状態では、ドライブユニット９のクランパアーム１０及びディスク位置決め機構１００は、フローティング支持されており、防振されている。
【００３７】
図８は、一方のロックアーム６３を示す側面図である。
図１及び図６〜図８に示すように、ロックアーム６３は、ドライブユニット９の側面部に沿って前後に延びる板状に形成され、前後の中間部に軸支部６３ａを有している。ロックアーム６３は、軸支部６３ａを中心にして揺動可能であり、この軸支部６３ａは、例えば上記アッパーガイド（不図示）に軸支される。
ロックアーム６３において、軸支部６３ａの上方には、ローディングローラ６１の左右の端部がスライド移動可能に挿通される長孔状の孔部６３ｂが形成されている。
【００３８】
ロックアーム６３において軸支部６３ａの前側には、ローラーガイド６２のボス部６２ｃが嵌合するガイド孔６３ｃが形成されており、ロックアーム６３とローラーガイド６２とは、ボス部６２ｃ及びガイド孔６３ｃによって連結されている。ガイド孔６３ｃは、ガイド孔６３ｃ内をボス部６２ｃがスライド可能であるように、長孔状に形成されている。詳細には、ロックアーム６３が揺動してガイド孔６３ｃ内をボス部６２ｃがスライドすることで、ローラーガイド６２は軸６２ａを中心にロックアーム６３の揺動方向とは逆方向に揺動し、これに伴ってローディングローラ６１が上下に揺動する。
【００３９】
一方のロックアーム６３の前後の中間部の上部には、センサアーム５０側へ後方に突出する棒状の押し当て片６５（押し当て部、突出部）が一体に形成されている。押し当て片６５は、センサアーム５０の被押し当て部５０ｆの上方まで延びており、被押し当て部５０ｆを上方から押圧することでセンサアーム５０を固定し、ディスク位置決め機構１００の動作をロックする。他方のロックアーム６３には、押し当て片６５は形成されていない。
【００４０】
ロックアーム６３において、軸支部６３ａの前側の上端及び軸支部６３ａの後側の下端には、シャーシ３の上下の内壁に当接するロック爪６４ａ，６４ｂがそれぞれ形成されている。
ロックアーム６３の前端には、トーションスプリング６４の一端が連結されるばね連結部６３ｄが設けられている。トーションスプリング６４の他端は上記アッパーガイドに連結されており、ロックアーム６３は、トーションスプリング６４によって、ロック爪６４ａ，６４ｂがシャーシ３の内壁に当接する向き（図７中の時計回り方向）に付勢されている。
【００４１】
次に、ローディングメカニズムの動作を説明する。
ロックアーム６３は、図７（ａ）に示すように、ディスクが挿入されていない通常の状態では、トーションスプリング６４（図６）に付勢されることで、ロック爪６４ａ，６４ｂがシャーシ３の上下の内壁に当接するロック位置にある。このロック位置の状態では、ローラーガイド６２は、ガイド孔６３ｃを介して図７中の半時計回りに揺動されており、ローディングローラ６１は上記ローディング位置にある。つまり、ロックアーム６３は、ロック爪６４ａ，６４ｂによって揺動位置を規制することで、ローディングローラ６１をローディング位置に位置決めする部材である。さらに、ローディング位置では、ロックアーム６３の押し当て片６５は、トーションスプリング６４の付勢力によって、センサアーム５０の被押し当て部５０ｆを上方から押圧している。
【００４２】
ディスク位置決め機構１００が設けられたドライブユニット９は、ディスクが挿入されていない通常時にはフローティング支持されていないが、この通常時には、押し当て片６５によってセンサアーム５０が押圧されてロックされるため、ディスク位置決め機構１００の動作をロックすることができる。これにより、センサアーム５０を含むディスク位置決め機構１００が振動等によって周辺の部品やメインシャーシ５等に接触することを防止でき、ディスク位置決め機構１００の接触に起因する音が生じることを防止できる。
ローディングローラ６１、ローラーガイド６２、一方のロックアーム６３及びトーションスプリング６４は、ディスク位置決め機構１００をロックするロック機構８０を構成している。
【００４３】
一方、挿入口からディスクが挿入されると、上記駆動機構によってローディングローラ６１が駆動され、ディスクは、ローディングローラ６１と上記アッパーガイドとの間に挟まれて内部へ搬送される。この際、ディスクによってローディングローラ６１が押し下げられると、ローラーガイド６２に連動して直ちにロックアーム６３が図７中の反時計回りに揺動し、押し当て片６５はセンサアーム５０の被押し当て部５０ｆから上方に離れ、ディスク位置決め機構１００が動作可能となる。このため、８ｃｍディスクＤ１及び１２ｃｍディスクＤ２がディスク位置決め機構１００の当接部２０ｂ及び当接部５０ｄに当接する以前に、押し当て片６５によるディスク位置決め機構１００のロックを解除でき、音の発生を防止しつつ、ディスクを正しく位置決めすることができる。
【００４４】
また、押し当て片６５の長さは、ディスクによってローディングローラ６１が押し下げられることによるロックアーム６３の僅かな揺動角度によってディスク位置決め機構１００をロック及び解除できるように大きく設定されている。
ディスクがチャッキングされると、ロックアーム６３は、ローディングローラ６１が上記ローディング解除位置に位置するように不図示の駆動部によって揺動され、ドライブメカニズムによってディスクの情報が再生される。
【００４５】
以上説明したように、本発明を適用した実施の形態によれば、シャーシ３内にディスクが挿入されていない状態で、可動式のディスク位置決め機構１００をロックするロック機構８０を備えたため、ディスクが挿入されていない状態においてディスク位置決め機構１００をロック機構８０によってロックすることができ、外部等からの振動によってディスク位置決め機構１００に起因する音が生じることを防止できる。
また、ロック機構８０は、ローディングローラ６１がディスクによって押されることで揺動するロックアーム６３を有し、ロックアーム６３はディスク位置決め機構１００に押し当てられる押し当て片６５を備えるため、ディスクに押されるローディングローラ６１の動きに連動させてロック機構８０を動作させることができ、簡単な構成でディスク位置決め機構１００をロックできる。
【００４６】
また、揺動アームは、ローディングローラ６１のローディング位置とローディング解除位置との間を揺動し、ローディングローラ６１をローディング位置に位置決めするロックアーム６３であり、ロックアーム６３の押し当て片６５は、ディスクが挿入されていない通常時にディスク位置決め機構１００に押し当てられて、ディスク位置決め機構１００をロックすると共に、ローディングローラ６１がディスクによって押されてディスクの厚み方向に動いた際に、ディスク位置決め機構１００から離れてディスク位置決め機構１００をロック解除するため、通常時にはロック機構８０によってディスク位置決め機構１００の音の発生を防止でき、ローディングローラ６１がディスクの厚み方向に動いた際には直ちにロック機構８０が解除され、ディスク位置決め機構１００が動作可能となり、ディスクを正しく位置決めできる。
【００４７】
さらに、ディスク位置決め機構１００は、シャーシ３の側面部５ａに沿って前後に延出するセンサアーム５０と、センサアーム５０にストッパリンク３０を介して連結されると共に、ディスクの外径部に当接し、ディスクをシャーシ３内に位置決めするディスクストッパ２０とを備え、押し当て片６５は、ディスクが挿入されていない通常時にセンサアーム５０に押し当てられて、ディスク位置決め機構１００をロックするため、センサアーム５０がシャーシ３の側面部５ａや他の部品等に当たることを防止でき、ディスク位置決め機構１００に起因する音の発生を効果的に防止できる。
また、ディスク位置決め機構１００は、ローディングローラ６１のローディング力に抗してセンサアーム５０を初期位置に付勢する引張コイルばね６０を有し、引張コイルばね６０のセンサアーム５０への支持点５０ｅの近くに押し当て片６５の被押し当て部５０ｆを配置したため、支持点５０ｅの近くを押し当て片６５で押さえることができ、センサアーム５０の振動を抑えるために強くしていた引張コイルばね６０の付勢力を弱めることができる。このため、センサアーム５０の当接部５０ｄをディスクで押圧して引張コイルばね６０に抗してセンサアーム５０を動かす際の負荷を小さくすることができ、ローディングローラ６１を駆動するモーターを小型化できる。
【００４８】
また、押し当て片６５は、ディスク位置決め機構１００のセンサアーム５０の被押し当て部５０ｆに対して上下方向に押し当てられるため、ディスク位置決め機構１００の上下の振動を効果的に抑えて音の発生を防止できる。
また、押し当て片６５はセンサアーム５０からディスク位置決め機構１００側に延びる突出部であり、押し当て片６５の長さを、ロックアーム６３がディスクの厚み分だけ揺動した際の揺動量で押し当て片６５によってディスク位置決め機構１００を押し当て可能な長さにしたため、簡単な構成でディスク位置決め機構１００の振動に起因する音の発生を防止できる。
また、シャーシ３内にディスクが挿入されておらず、ディスク位置決め機構１００がシャーシ３に対しフローティング状態とされていない場合において、押し当て片６５がディスク位置決め機構１００に押し当てられるため、ディスク位置決め機構１００がフローティング状態となっておらず振動し易い状態であっても、ディスク位置決め機構１００に起因する音が生じることを防止できる。
【００４９】
なお、上記実施の形態は本発明を適用した一態様を示すものであって、本発明は上記実施の形態に限定されない。
上記実施の形態では、ロックアーム６３の揺動に連動して押し当て片６５がディスク位置決め機構１００のセンサアーム５０に押し当てられるものとして説明したが、本発明はこれに限定されるものではない。例えば、ロックアーム６３の揺動に連動して揺動するリンク機構を設けるとともにこのリンク機構に押し当て片を設け、この押し当て片を、ディスク位置決め機構１００のディスクストッパ２０、或いは、ストッパリンク３０に押し当ててディスク位置決め機構１００の振動に起因する音の発生を防止しても良い。
また、上記実施の形態では、揺動アームとしてロックアーム６３を例に挙げて説明したが、本発明はこれに限定されるものではなく、揺動アームは、ディスクの挿入に連動してローディングローラ６１とともに揺動するものであれば良い。例えば、ロックアーム６３とは別のアーム部材をローラーガイド６２に連結し、このアーム部材の揺動に連動して押し当て部がディスク位置決め機構１００に押し当てられる構成としても良い。
【００５０】
また、上記実施の形態では、ロックアーム６３には、シャーシ３の上下の内壁に当接するロック爪６４ａ，６４ｂがそれぞれ形成されているものとして説明したが、本発明はこれに限定されるものではなく、例えば、ロック爪６４ａ，６４ｂを設けずに、押し当て片６５が被押し当て部５０ｆに当接する位置を、ローディングローラ６１のローディング位置に対応させても良い。
また、上記実施の形態では、一方のロックアーム６３に押し当て片６５が形成されているものとして説明したが、これに限らず、両方のロックアーム６３に押し当て片６５を形成し、一対の押し当て片６５によってディスクプレーヤ１内のディスク位置決め機構１００をロックする構成としても良い。
さらに、上記実施の形態では、押し当て片６５は棒状であるものとして説明したが、これに限らず、押し当て片６５を板ばね状に構成しても良い。
また、ディスクプレーヤ１は、ディスクに記録された情報を再生するものであるとして説明したが、ディスクに情報を書き込み可能なディスク再生装置であっても良いことは勿論である。
【符号の説明】
【００５１】
１  ディスクプレーヤ（ディスク再生装置）
３  シャーシ（筺体）
２０  ディスクストッパ
５０  センサアーム
５０ｅ  支持点
５０ｆ  被押し当て部
６０  引張コイルばね（ばね）
６１  ローディングローラ
６３  ロックアーム（揺動アーム）
６５  押し当て片（押し当て部、突出部）
８０  ロック機構
１００  ディスク位置決め機構
【図１】
2013131266.tif 000003
【図２】
2013131266.tif 000004
【図３】
2013131266.tif 000005
【図４】
2013131266.tif 000006
【図５】
2013131266.tif 000007
【図６】
2013131266.tif 000008
【図７】
2013131266.tif 000009
【図８】
2013131266.tif 000010